(57)【特許請求の範囲】
【請求項１】
用水路、ダム等の斜壁等のコンクリート構造物の目地において、目地の一方側のコンクリート面に一方の係合体を設け、前記目地の他方側のコンクリート面に他方の係合体を設け、前記２つの係合体の間にコーキング材を充填したコンクリート構造物伸縮目地の構造において、
前記２つの係合体のそれぞれを、固定部とコーキング材充填部が１つの連結部で連結された断面ほゞ階段状で、全体がほぼベンチ状に形成し、この２つの係合体が目地内で前記コーキング材充填部が段違いに互いに対向するように設置したことを特徴とするコンクリート構造物伸縮目地の構造。
【請求項２】
前記目地の左右又は上下一方側のコンクリート面に前記一方の係合体をアンカーを介して設け、前記目地の左右又は上下他方側のコンクリート面に前記他方の係合体をアンカーを介して設けたことを特徴とする請求項１に記載のコンクリート構造物伸縮目地の構造。
【請求項３】
前記目地内に臨ませた一方の係合体のコーキング材充填部の上面と、前記目地内に臨ませた他方の係合体のコーキング材充填部の下面との間に前記コーキング材を充填したことを特徴とする請求項１又は２に記載のコンクリート構造物伸縮目地の構造。
【請求項４】
前記２つの係合体の前記目地内に臨ませたコーキング材充填部の上面及び下面に接着したコーキング材の左右の両側面と対向する位置にある前記係合体の連結部あるいは目地内との間に間隙を設けたことを特徴とする請求項１，２又は３に記載のコンクリート構造物伸縮目地の構造。
【請求項５】
前記２つの係合体をアルミ、ステンレス等の経年劣化に耐え得る素材より形成したことを特徴とする請求項１、２、３又は４に記載のコンクリート構造物伸縮目地の構造。
【発明の詳細な説明】
【０００１】
【発明の属する技術分野】
この発明はコンクリート構造物伸縮目地の構造に関し、更に詳細には用水路、ダム等の斜壁等のコンクリート構造物の伸縮目地の構造に関する。
【０００２】
【従来の技術】
図５に示されるように、用水路、ダム等の斜壁等のコンクリート構造物１は、施工後のコンクリート自体の伸縮作用（図６及び図７に示す矢印方向の応力）に対応するために、所定の箇所にコーキング材２を充填した伸縮目地３が設けられており、この伸縮目地３は、図６に示されるように新設時にゴム、アスファルトなどの各種のコーキング材２を充填して施工し、漏水等の防止が図られている。
【０００３】
しかし、図７に示されるように経年変化によるコンクリート面４及びコーキング材２の劣化、予測以上のコンクリート５の伸縮等によりコンクリート面４からのコーキング材２の界面剥離、コーキング材２の亀裂等が生じ、コンクリート５内に設置した止水板６がその役目を果たさず漏水等が発生する場合が多かった。
この漏水等の不都合を防止するために伸縮目地３の補修が必要とされ、従来の補修工事は、既存のコーキング材２を除去し、再度、新しいコーキング材２を充填して施工していた。
【０００４】
【発明が解決しようとする課題】
しかしながら、従来の補修工事では、既存の劣化したコーキング材２を除去し、再度、新しいコーキング材２を充填して施工する、という単にコーキング材２の交換をするだけであるため、コンクリート面４の劣化度合い、汚れ、水の付着等により施工状況が大きく左右され、施工後短期間で、コーキング２材の剥がれ等の不具合が発生する場合が多かった。
【０００５】
すなわち、例えば、目地３のコンクリート面４の劣化又は汚れ等が激しい場合には、そこに補修用のコーキング材２を充填しても短期間で剥離してしまう問題点が存した。また、補修工事中に降雨等があった場合、目地３内に水等が付着しているため、コーキング材２とコンクリート面４が馴染まず、短期間で剥離等の不都合が生ずる問題点が存した。
【０００６】
このため、コンクリート面の劣化度合い、汚れ、水の付着、天候等により施工状況が左右されることなく、施工後長期間、コンクリートの伸縮作用に耐え、コーキング材の剥がれ等が発生することなく、漏水を防止することのできるコンクリート構造物伸縮目地の構造の開発が強く望まれていた。
【０００７】
この発明の目的は、かかる従来の課題を解決するためになされたもので、伸縮目地のコンクリート面とコーキング材の間に係合体を介在させ、コンクリート面とコーキング材を直接接着させることのないコンクリート構造物伸縮目地の構造を提供することにある。
【０００８】
【課題を解決するための手段】
この発明のコンクリート構造物伸縮目地の構造では、用水路、ダム等の斜壁等のコンクリート構造物の目地において、目地の一方側のコンクリート面に一方の係合体を設け、前記目地の他方側のコンクリート面に他方の係合体を設け、前記２つの係合体の間にコーキング材を充填したコンクリート構造物伸縮目地の構造において前記２つの係合体のそれぞれを、固定部とコーキング材充填部が１つの連結部で連結された断面ほゞ階段状で、全体がほぼベンチ状に形成し、この２つの係合体が目地内で前記コーキング材充填部が段違いに互いに対向するように設置したことを特徴とする。
【０００９】
また、この発明のコンクリート構造物伸縮目地の構造は、前記目地の左右又は上下一方側のコンクリート面に一方の係合体をアンカーを介して設け、前記目地の左右又は上下他方側のコンクリート面に他方の係合体をアンカーを介して設けたことを特徴とする。
【００１１】
また、この発明のコンクリート構造物伸縮目地の構造は、前記目地内に臨ませた一方の係合体のコーキング材充填部の上面と、前記目地内に臨ませた他方の係合体のコーキング材充填部の下面との間に前記コーキング材を充填したことを特徴とする。
【０００１２】
またこの発明のコンクリート構造物伸縮目地の構造では、前記２つの係合体の前記目地内に臨ませたコーキング材充填部の上面及び下面に接着したコーキング材の左右の両側面と対向する位置にある前記係合体の連結部あるいは目地内との間に間隙を設けたことを特徴とする。
【００１３】
更に、この発明のコンクリート構造物伸縮目地の構造は、前記２つの係合体をアルミ、ステンレス等の経年劣化に耐え得る素材より形成したことを特徴とする。
【００１４】
【発明の実施の形態】
以下、この発明に係るコンクリート構造物伸縮目地の構造を図に示される一実施形態について更に詳細に説明する。図１、図２及び図３は、この発明の一実施形態に係るコンクリート構造物伸縮目地の施工工程を示す横断面図である。図４はこの発明の伸縮目地に用いられる一方の係合体１０及び他方の係合体１１を示す一部切り欠き斜面図である。図５は用水路、ダム等の斜壁等のコンクリート構造物の伸縮目地を示す一部切り欠き斜面図、図６及び図７は従来のコンクリート構造物伸縮目地を示す横断面図である。
【００１５】
用水路、ダム等の斜壁等のコンクリート構造物１の伸縮目地３は、図５に示されるように所定の間隔で碁盤の目状に設けられており、コンクリート構造物１の伸縮作用に対応して漏水等を防止している。
この伸縮目地３の補修に際しては、先ず、目地３内の劣化したコーキング材２を取り除いた後、一方の係合体１０及び他方の係合体１１がコンクリート構造物１の溝状の目地３内に設置される。
前記２つの係合体１０、１１は、アルミ、ステンレス等の経年劣化に耐え得る素材より形成した場合には、長期間伸縮目地の構造を維持することができる。
【００１６】
前記一方の係合体１０及び他方の係合体１１は、図４に示されるようにほゞ階段状（雛段状）に長尺に形成されている。又は位置を変えて観察すれば、ほゞベンチ状に長尺に形成されている。
すなわち、前記図４において、一方の係合体１０の固定部１２とコーキング材充填部１３は、連結部１４で断面ほゞ階段状に形成されている。同様に他方の係合体１１の固定部１５とコーキング材充填部１６は、連結部１７で断面ほゞ階段状に形成されている。
【００１７】
ここにおいて、他方の係合体１１の連結部１７は、一方の係合体１０の連結部１４よりも短尺に形成されている。これは一方の係合体１０のコーキング材充填部１３と他方の係合体１１のコーキング材充填部１６間にコーキング材１８が介在するため、このコーキング材１８の厚み分が短尺となる。
前記固定部１２、１５には、アンカーボルト１９を打ち込むための取付孔２０が複数個穿設されている。
【００１８】
次に本発明のコンクリート構造物伸縮目地の構造の施工工程を説明する。
先ず、用水路、ダム等の斜壁等のコンクリート構造物１の伸縮目地３内の劣化したコーキング材２を取り除いた後、一方の係合体１０及び他方の係合体１１を順次コンクリート構造物１の目地３内に設置する。
【００１９】
すなわち、図１に示されるように、最初に係合体１０を目地３内に設置して、固定部１２の取付孔２０にアンカーボルト１９を打ち込んで、係合体１０をコンクリート構造物１の表面２５に堅固に固定する。
【００２０】
次いで、図２に示されるように、前記係合体１０のコーキング材充填部１３上にコーキング材１８を充填施工する。このとき、コーキング材１８の左端と連結部１４との間に間隙２１を設ける。すなわち、コーキング材１８をコーキング材充填部１３の全面に施工しない。そして、図示はされていないが、必要に応じてコーキング材１８の左端にスポンジ等のバックアップ材を設けることで、前記間隙２１の設置スペースが容易に確保される。
係合体１０側の施工が終了したら、今度は、図３に示されるように、係合体１１を目地３内に設置して、固定部１５の取付孔２０にアンカーボルト１９を打ち込んで、係合体１１をコンクリート構造物１の表面２５に堅固に固定する。
【００２１】
次いで、図３に示されるように、前記係合体１１のコーキング材充填部１６の下面にコーキング材１８を施工する。この施工は、コーキング材１８上にコーキング材充填部１６を押し当てて行なわれる。そして、必要に応じてコーキング材１８の右端の間隙２３内にスポンジ等のバックアップ材２４を設ける。
このように、コーキング材１８の右端には、間隙２３とスポンジ等のバックアップ材２４が設けられているため、コーキング材１８は、目地３内のコンクリート５とは一切接触していない。
このため、コーキング材１８は、コンクリート５の劣化度合い、汚れ、水の付着又は乾燥状況等に左右されず、しかも、コーキング材１８の表面の大部分は、コーキング材充填部１６に覆われており、外部に露出していないため、耐候性も強くなる。
なお、図中２２は係合体１０及び１１の固定部１２及び１５の下面に設けた水膨張ゴムパッキンであり、この固定部１２、１５からの水の侵入を防止している。
【００２２】
図３に示されるように、コーキング材１８は、目地３内において一方の係合体１０のコーキング材充填部１３と他方の係合体１１のコーキング材充填部１６とで、その上下部分が挟圧された状態で接着している。また、必要に応じてコーキング材充填部１３の上面及びコーキング材充填部１６の下面に接着促進剤等を塗布することで、前記挟圧状態がより一層強化される。
【００２３】
図３の２つの反対方向の矢印に示されるように、目地３に作用するコンクリート構造物１の伸縮作用から発生する応力は、コーキング材１８の左右方向への移動で効果的に吸収される。すなわち、コーキング材１８は、その上下両面を係合体１０と１１とに接着されて、左右に移動自在とされており、しかも、コーキング材１８の左端と係合体１０の連結部１４との間には間隙２１が設けられており、及びコーキング材１８の右端にも間隙２３が設けられているため、コンクリート構造物１から発生する応力は、このコーキング材１８で効果的に吸収される。
【００２４】
前記係合体１０及び１１は施工場所の目地の長さ等の状況に応じて適宜その長さが選択され、長尺の目地の場合には、溝型のジョイントを介して順次複数個の係合体１０及び１１が連結されて施工される。この発明の伸縮目地の構造は、主として補修用に利用されるが、新設のコンクリート構造物の伸縮目地に応用することはもとより可能である。
【００２５】
【発明の効果】
以上説明したように、この発明のコンクリート構造物伸縮目地の構造は、伸縮目地のコンクリート面とコーキング材の間に係合体を介在させ、コンクリート面とコーキング材を直接接着させることがないため、コーキング材の劣化が防止され、長期間伸縮目地として機能することができる。
【００２６】
また、この発明のコンクリート構造物伸縮目地の構造は、コンクリート面の劣化度合い、汚れ、水の付着、天候等により施工状況が左右されることはなく、施工後長期間、コンクリートの伸縮作用に耐え、コーキング材の剥がれ等が発生することなく、漏水を防止することのできる。
【図面の簡単な説明】
【図１】この発明の一実施形態に係るコンクリート構造物伸縮目地の構造の施工工程を示す横断面図である。
【図２】この発明の一実施形態に係るコンクリート構造物伸縮目地の構造の施工工程を示す横断面図である。
【図３】この発明の一実施形態に係るコンクリート構造物伸縮目地の構造の施工工程を示す横断面図である。
【図４】この発明の一実施形態に係るコンクリート構造物伸縮目地の構造に用いられる係合体を示す一部切り欠き斜面図である。
【図５】用水路、ダム等の斜壁等のコンクリート構造物の伸縮目地を示す一部切り欠き斜面図である。
【図６】従来のコンクリート構造物の伸縮目地を示す横断面図である。
【図７】従来のコンクリート構造物の伸縮目地を示す横断面図である。
【符号の説明】
１  コンクリート構造物
２  コーキング材
３  伸縮目地
４  コンクリート面
５  コンクリート
６  止水板
１０、１１  係合体
１２、１５  固定部
１３、１６  コーキング材充填部
１４、１７  連結部
１８  コーキング材
１９  アンカーボルト
２０  取付孔
２１、２３  間隙
２２  水膨張ゴムパッキン
２４  バックアップ材
２５  表面
【図１】
0003653541.tif 000002
【図２】
0003653541.tif 000003
【図３】
0003653541.tif 000004
【図４】
0003653541.tif 000005
【図５】
0003653541.tif 000006
【図６】
0003653541.tif 000007
【図７】
0003653541.tif 000008